(57)【要約】【課題】放射性物質によって汚染された土壌から放射性物質を含む汚染水を集水し、効率よく汚染水を回収することができる、放射性物質抽出装置及び放射性物質抽出システムを提供する。【解決手段】陰極４として土壌２に差し込まれる複数の鞘管５と、鞘管５の各々に挿入される吸込管６と、吸込管６を鞘管５内で絶縁可能かつシール可能に保持するガイド部材７と、ガイド部材７よりも下方の鞘管５の側面に形成された複数の取込孔５１と、吸込管６の各地上側端部に接続された排水管８と、排水管８に接続された吸引ポンプ９と、吸引ポンプ９に接続された汚染水槽１０と、陽極３と陰極４との間に電圧を印加する電力供給手段１１と、を備えている。【選択図】図４
2015001491.tif 000002
【特許請求の範囲】
【請求項１】
放射性物質で汚染された土壌に差し込まれる陽極と、該陽極から間隔を隔てて前記土壌に差し込まれる陰極と、を備え、前記陽極と前記陰極との間に電圧を印加して前記土壌中の放射性物質を含む汚染水を前記陰極に移動させて前記土壌から除去する放射性物質抽出装置であって、
前記陰極として前記土壌に差し込まれる鞘管と、
該鞘管に挿入される吸込管と、
該吸込管を前記鞘管内で絶縁可能かつシール可能に保持するガイド部材と、
該ガイド部材よりも下方の前記鞘管の側面に形成された複数の取込孔と、
前記吸込管に接続された吸引ポンプと、
を備えたことを特徴とする放射性物質抽出装置。
【請求項２】
前記ガイド部材は、前記吸込管の外周に形成されたフランジ部と、該フランジ部の外縁に配置された絶縁材と、により構成される、ことを特徴とする請求項１に記載の放射性物質抽出装置。
【請求項３】
放射性物質で汚染された土壌に差し込まれる陽極と、該陽極から間隔を隔てて前記土壌に差し込まれる陰極と、を備え、前記陽極と前記陰極との間に電圧を印加して前記土壌中の放射性物質を含む汚染水を前記陰極に移動させて前記土壌から除去する放射性物質抽出システムであって、
前記陰極として前記土壌に差し込まれる複数の鞘管と、
該鞘管の各々に挿入される吸込管と、
該吸込管を前記鞘管内で絶縁可能かつシール可能に保持するガイド部材と、
該ガイド部材よりも下方の前記鞘管の側面に形成された複数の取込孔と、
前記吸込管の各地上側端部に接続された排水管と、
該排水管に接続された吸引ポンプと、
該吸引ポンプに接続された汚染水槽と、
前記陽極と前記陰極との間に電圧を印加する電力供給手段と、
を備えたことを特徴とする放射性物質抽出システム。
【請求項４】
前記ガイド部材は、前記吸込管の外周に形成されたフランジ部と、該フランジ部の外縁に配置された絶縁材と、により構成される、ことを特徴とする請求項３に記載の放射性物質抽出システム。
【請求項５】
前記電力供給手段は、太陽光発電、風力発電又はその他の再生可能エネルギー発電により構成されている、ことを特徴とする請求項３又は４に記載の放射性物質抽出システム。
【発明の詳細な説明】
【技術分野】
【０００１】
本発明は、放射性物質によって汚染された土壌から放射性物質を含む汚染水を集水して土壌から放射性物質を除去する、放射性物質抽出装置及び放射性物質抽出システムに関する。
【背景技術】
【０００２】
放射性物質は、アルカリ金属をはじめとした金属元素の放射性同位体であるが、土壌の水分中では単独の元素として存在せず、大気や土壌中の硫酸等の元素とイオン結合して塩という化学結合の形態で存在している。土壌は、一般に、土壌の成分を構成している微細なシルト質及び粘土に水分を含有している。特に、降雨後には雨水の浸透や地下水の増量の影響により、土壌に多くの水分が保有された湿潤な状態となっている。
【０００３】
このように、多くの水分を含有する土壌では、塩としてイオン結合していた土壌中の放射性同位元素は、塩から電離してイオンとして水に溶け込んでいることが多く、土壌中で汚染水を構成している。したがって、放射性物質によって汚染された土壌に対しては、土壌中の汚染水に対して電気的なクーロン力を作用させることで、汚染水を電気浸透現象により強制的に移動させて一定箇所に集水することができる。
【０００４】
電気浸透現象を利用して土壌中のイオン化した汚染物質を抽出する発明として、汚染された土壌に陰極と陽極とを間隔を隔てて差し込み、これらに電圧を印加することで、イオン化した汚染物質が溶け込んだ汚染水を陰極に集めるようにした装置が知られている（例えば、特許文献１参照）。この装置においては、筒状に形成された陰極を有し、陰極の側面に複数の貫通孔が形成されており、電気浸透現象によって陰極に引き寄せられた汚染水を貫通孔から陰極内に取り込み、陰極内に取り込んだ汚染水を真空ポンプによって汲み上げるようにしている。
【先行技術文献】
【特許文献】
【０００５】
【特許文献１】特開２００３−３１１２５６号公報
【発明の概要】
【発明が解決しようとする課題】
【０００６】
ところで、上述した従来の装置においては、筒状の陰極の頂部（地面から突き出た部分）にサクションパイプを接続し、サクションパイプに繋がれた真空ポンプによる負圧を、筒状の陰極の頂部から内部の全容積に作用させることで、陰極内部の汚染水を吸い上げるようにしている。したがって、真空ポンプによる負圧が筒状の陰極内の全容積に作用することになり、陰極内部の汚染水を適切に真空引きするには、能力の大きな真空ポンプが必要となる。
【０００７】
すなわち、筒状の陰極内部の容積は、陰極の長さに比例するため、土壌に差し込まれる陰極の長さがある程度以上長くなると、真空ポンプの能力を相当大きくしなければ、陰極内部の汚染水を適切に吸い上げることが困難となる。また、筒状の陰極の底部に貯留された汚染水を陰極の頂部に接続されたサクションパイプで吸い上げることは、技術的な処理として適切とは言い難く、改善の余地が残されている。
【０００８】
本発明は、かかる問題点に鑑み創案されたものであり、放射性物質によって汚染された土壌から放射性物質を含む汚染水を集水し、効率よく汚染水を回収することができる、放射性物質抽出装置及び放射性物質抽出システムを提供することを目的とする。
【課題を解決するための手段】
【０００９】
本発明によれば、放射性物質で汚染された土壌に差し込まれる陽極と、該陽極から間隔を隔てて前記土壌に差し込まれる陰極と、を備え、前記陽極と前記陰極との間に電圧を印加して前記土壌中の放射性物質を含む汚染水を前記陰極に移動させて前記土壌から除去する放射性物質抽出装置であって、前記陰極として前記土壌に差し込まれる鞘管と、該鞘管に挿入される吸込管と、該吸込管を前記鞘管内で絶縁可能かつシール可能に保持するガイド部材と、該ガイド部材よりも下方の前記鞘管の側面に形成された複数の取込孔と、前記吸込管に接続された吸引ポンプと、を備えたことを特徴とする放射性物質抽出装置が提供される。
【００１０】
また、本発明によれば、放射性物質で汚染された土壌に差し込まれる陽極と、該陽極から間隔を隔てて前記土壌に差し込まれる陰極と、を備え、前記陽極と前記陰極との間に電圧を印加して前記土壌中の放射性物質を含む汚染水を前記陰極に移動させて前記土壌から除去する放射性物質抽出システムであって、前記陰極として前記土壌に差し込まれる複数の鞘管と、該鞘管の各々に挿入される吸込管と、該吸込管を前記鞘管内で絶縁可能かつシール可能に保持するガイド部材と、該ガイド部材よりも下方の前記鞘管の側面に形成された複数の取込孔と、前記吸込管の各地上側端部に接続された排水管と、該排水管に接続された吸引ポンプと、該吸引ポンプに接続された汚染水槽と、前記陽極と前記陰極との間に電圧を印加する電力供給手段と、を備えたことを特徴とする放射性物質抽出システムが提供される。
【００１１】
上述した放射性物質抽出装置及び放射性物質抽出システムにおいて、前記ガイド部材は、前記吸込管の外周に形成されたフランジ部と、該フランジ部の外縁に配置された絶縁材と、により構成されていてもよい。
【００１２】
また、上述した放射性物質抽出システムにおいて、前記電力供給手段は、太陽光発電、風力発電又はその他の再生可能エネルギー発電により構成されていてもよい。
【発明の効果】
【００１３】
本発明に係る放射性物質抽出装置及び放射性物質抽出システムによれば、陰極を構成する鞘管と集水した汚染水を外部に排出する吸込管とを別部品として構成したことにより、鞘管内に負圧室を形成することができ、吸込管に接続された吸引ポンプの負圧を負圧室に集中して作用させることができ、鞘管の内部に取り込まれた汚染水を効率良く吸い上げることができる。したがって、放射性物質によって汚染された土壌から放射性物質を含む汚染水を集水し、効率よく汚染水を回収することができる。
【図面の簡単な説明】
【００１４】
【図１】本発明の実施形態に係る放射性物質抽出システムの概略構成図である。
【図２】図１に示した放射性物質抽出システムの電源系統図である。
【図３】図１に示した放射性物質抽出装置の陽極を示す説明図である。
【図４】図１に示した放射性物質抽出装置の陰極を示す説明図である。
【図５】図４に示した陰極の断面図であり、（ａ）は図４におけるＡ−Ａ線断面図、（ｂ）は図５（ａ）におけるＢ−Ｂ線断面図、を示している。
【図６】陰極の吸込管に接続された排水管を示す説明図である。
【図７】陽極及び陰極の配置を示す平面図であり、（ａ）第一配置例、（ｂ）は第二配置例、（ｃ）は第三配置例、（ｄ）は第四配置例、を示している。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
本発明の実施形態に係る放射性物質抽出システム１は、図１〜７に示したように、放射性物質で汚染された土壌２に差し込まれる陽極３と、陽極３から間隔を隔てて土壌２に差し込まれる陰極４と、を備え、陽極３と陰極４との間に電圧を印加して土壌２中の放射性物質を含む汚染水を陰極４に移動させて土壌２から除去する放射性物質抽出システムであって、陰極４として土壌２に差し込まれる複数の鞘管５と、鞘管５の各々に挿入される吸込管６と、吸込管６を鞘管５内で絶縁可能かつシール可能に保持するガイド部材７と、ガイド部材７よりも下方の鞘管５の側面に形成された複数の取込孔５１と、吸込管６の各地上側端部に接続された排水管８と、排水管８に接続された吸引ポンプ９と、吸引ポンプ９に接続された汚染水槽１０と、陽極３と陰極４との間に電圧を印加する電力供給手段１１と、を備えている。
【００１７】
ここで、少なくとも一組の陽極３及び陰極４と、取込孔５１を有する鞘管５と、ガイド部材７を有する吸込管６と、吸引ポンプ９と、により構成される放射性物質抽出システム１の最小単位を放射性物質抽出装置と称することとする。例えば、狭い領域の汚染水を回収したい場合には、一組の陽極３及び陰極４を備えた放射性物質抽出装置を使用することができる。この放射性物質抽出装置では、後述するような大掛かりの排水管８は必要なく、吸込管６と吸引ポンプ９とを接続することができる程度の簡素な構成でよい。
【００１８】
土壌２は、例えば、セシウム、ストロンチウム等の放射性物質によって汚染された、農地、山林等の林地、住宅地や工業地等の宅地、道路や公園等の公共地等である。原子炉建屋の地下や周辺の土地も土壌２に含まれる。また、土壌２は必ずしも土が露出した場所に限定されず、アスファルトやコンクリートを貫通して又は除去して、陽極３及び陰極４を土壌２に差し込むようにしてもよい。
【００１９】
本実施形態では、後述するように、電気浸透法により汚染水を吸着するものであるから、土壌２は湿潤な土壌や保水可能な土壌であることが好ましい。勿論、土壌２が乾いている場合には、水を散布したり、土壌２中に注水したりして、土壌２を強制的に湿潤な状態にするようにしてもよい。
【００２０】
陽極３は、図３に示したように、土壌２に差し込まれる金属製の棒部材により構成され、棒部材の材質には、鋼、ステンレス、チタン等の導電性金属が用いられる。陽極３の上部の土壌２から露出する部分には、断面Ｌ字型の端子３１が溶接等により接続されている。端子３１には、図２に示した陽極電線１１５ｃが接続されており、陽極３にプラスの電圧が印加されるようになっている。陽極３の直径は、例えば、２〜６ｃｍ程度であり、陽極３の土壌２に差し込まれる部分の長さは、例えば、１〜５ｍ程度であるが、これに限定されるものではない。陽極３の下端は、土壌２に差し込み易いように、円錐状又は角錐状に形成されていてもよい。
【００２１】
陰極４は、図４に示したように、筒状に形成された鞘管５により構成され、鞘管５の材質には、鋼、ステンレス、チタン等の導電性金属が用いられる。鞘管５の地上に露出した地上側端部の側面には、断面Ｌ字型の端子５２が溶接されている。端子５２には、図２に示した陰極電線１１４ｃが接続されており、鞘管５にマイナスの電圧が印加されるようになっている。端子５２は、鞘管５に取り付けられたカバー５３により覆われており、防塵処理及び防水処理が施されている。また、鞘管５の地上側端部には、吸込管６を接続するための支持フランジ５４が形成されている。
【００２２】
鞘管５の地中に埋め込まれた地下側端部は、図示したような開放端であってもよいし、閉塞端であってもよい。また、鞘管５の側面には、陰極４である鞘管５に集まってきた汚染水を鞘管５の内部に取り込むための取込孔５１が複数形成されている。また、鞘管５は、例えば、直径３〜１０ｃｍ程度の円形断面を有していることが好ましいが、これに限定されるものではなく、矩形断面を有していてもよい。なお、鞘管５の土壌２に差し込まれる部分の長さは、例えば、１〜５ｍ程度である。
【００２３】
吸込管６は、図４に示したように、鞘管５よりも小径（例えば、直径２〜６ｃｍ程度）の筒状部材からなり、吸込管６の材質には、金属や樹脂等の真空引きに耐え得る強度を有するものが用いられる。吸込管６は、汚染水に晒されることから、耐腐食性を有する材質を使用したり、耐腐食コーティングを施したりするようにしてもよい。かかる吸込管６は、鞘管５内に上方から挿入されており、吸込管６の外面と鞘管５の内面との間には一定の隙間が形成されている。
【００２４】
吸込管６の上端には、排水管８に接続するためのフランジ状の継手６１が形成されている。また、吸込管６の下端には、鞘管５の内部に取り込まれた汚染水を吸込むための吸込口６２が形成されている。吸込口６２には、異物が吸込管６内に吸い込まれないようにするため、金網等のフィルターを備えたキャップ６３が配置されている。なお、吸込口６２は、吸込管６の側面に形成されていてもよく、この場合、例えば、複数の小径の貫通孔によって構成される。
【００２５】
また、図４に示したように、吸込管６の上部には、側面から拡径した支持フランジ６４が形成されている。支持フランジ６４は、鞘管５側の支持フランジ５４上にパッキン６５を介して配置され、絶縁ボルト６６により締結されている。パッキン６５は、例えば、ゴムや樹脂等の絶縁材により構成されるとともに、締結部の気密性を保持する。なお、吸込管６及び支持フランジ６４を非導電性の材質により構成した場合には、パッキン６５を絶縁材により構成する必要はないし、絶縁ボルト６６に替えて通常のボルトを使用するようにしてもよい。
【００２６】
また、図４に示したように、吸込管６の中間部には、側面から拡径したガイド部材７が配置されている。ここで、図５（Ａ）及び（Ｂ）は、ガイド部材７の詳細を図示したものである。図５（Ａ）及び（Ｂ）に示したように、ガイド部材７は、例えば、吸込管６の外周に形成されたフランジ部７１と、フランジ部７１の外縁に配置された絶縁材７２と、により構成される。フランジ部７１は、吸込管６の外周に溶接等によって接続される。絶縁材７２は、電気的絶縁性を有する、シリコン、セラミックス、ゴム、樹脂等により構成されており、図５（Ｂ）に示したように、鞘管５の内面に密着するように配置される。かかるガイド部材７は、吸込管６が鞘管５に接触しないように保持する機能と、鞘管５と吸込管６との隙間をシールする機能と、吸込管６を鞘管５に対して電気的に絶縁する機能と、を有している。
【００２７】
上述した構成により、鞘管５と吸込管６との間には、図４に示したように、鞘管５、吸込管６、ガイド部材７及び土壌２により囲まれた負圧室５５が形成される。鞘管５に形成された取込孔５１は、この負圧室５５の側面に沿って配置される。取込孔５１は、例えば、直径１〜１０ｍｍ程度の大きさを有し、鞘管５の外周に集められた汚染水を鞘管５の内部（負圧室５５）に取り込むとともに、大きな異物が鞘管５内に進入することを抑制するフィルターとしても機能する。そして、負圧室５５は、吸込管６によって負圧室５５内の流体が吸い出されることによって、負圧状態とされ、鞘管５の外周に集められた汚染水が負圧室５５に取り込まれる。
【００２８】
また、図４に示したように、負圧室５５には砂利１２が収容されていてもよい。砂利１２は、鞘管５と吸込管６との間の隙間を保持するスペーサーとして機能するとともに、毛細管現象によって汚染水を負圧室５５内に浸透させる機能を有する。砂利１２は、同じ粒径を有するものであってもよいし、鞘管５の底部に粒径の小さいものを配置し、底部から上部に向かって粒径の大きいものを配置するようにしてもよい。このように砂利１２を負圧室５５内に収容することにより、鞘管５の汚染水の保水性能を向上させることができる。なお、砂利１２は、必須の構成要素ではなく省略してもよい。
【００２９】
図１に示したように、土壌２には複数の陽極３及び陰極４が差し込まれる。ここで、図１において、説明の便宜上、土壌２を三段に分けて図示しているが、実際には同一平面上の土壌２を図示したものである。陽極３の周囲には陰極４が配置され、陰極４に汚染水が集水される。したがって、汚染水を効率よく回収するためには、陰極４に集水された汚染水を外部に排出する必要がある。そこで、各陰極４には排水管８が接続されており、汚染水は、吸込管６から排水管８を経由して汚染水槽１０に回収される。
【００３０】
排水管８は、例えば、陰極４の吸込管６に接続される管ヘッダ８１と、管ヘッダ８１に接続されるヘッダ母管８２と、を有する。管ヘッダ８１は、図６に示したように、例えば、Ｔ字形状の配管によって構成される。管ヘッダ８１の脚部８１ａは、吸込管６の継手６１にボルト・ナット等により接続される。隣接する管ヘッダ８１の腕部８１ｂは、管継手８１ｃを介して連結されており、最上流の管ヘッダ８１の端部は閉塞される。管ヘッダ８１からヘッダ母管８２までの距離が長い場合には、複数の配管を継ぎ足すようにしてもよい。
【００３１】
図１に示したように、ヘッダ母管８２には、汚染水を吸い込むための吸引ポンプ９が配置される。吸引ポンプ９は、いわゆる真空ポンプである。ヘッダ母管８２の下流側に汚染水槽１０が接続される。汚染水槽１０は、放射性物質の漏洩を防止できるように構成されていることが好ましい。例えば、汚染水槽１０は、コンクリートや鋼板コンクリート等の放射線遮蔽効果の高い素材によって汚染水を封入できるように構成されたタンクである。また、汚染水槽１０は、放射線遮蔽効果の高い建屋内に配置された水槽やタンクであってもよい。
【００３２】
排水管８には、必要に応じて開閉弁８３を配置して、汚染水を回収する陰極４を任意に選択できるようにしてもよいし、必要に応じて逆止弁８４を配置して、汚染水の逆流を抑制するようにしてもよい。また、吸引ポンプ９の上流側には、必要に応じてドレン弁８５及びドレン受け８６を配置するようにしてもよい。なお、排水管８の構成は、図示したものに限定されず、陰極４の配置や個数等に応じて適宜変更することができる。
【００３３】
図２に、陽極３と陰極４との間に電圧を印加する電力供給手段１１の概要を示している。電力供給手段１１は、例えば、電力を発生させる発電手段１１１と、交流を直流に変換するＡＣ／ＤＣ変換器１１２と、ＡＣ／ＤＣ変換器１１２で変換された直流の電流及び電圧を制御する直流電源装置１１３と、直流電源装置１１３に接続されたマイナス端子箱１１４及びプラス端子箱１１５と、を備えている。なお、電力供給手段１１の構成は、図示した構成に限定されるものではなく、陽極３と陰極４との間に適切な電圧を印加できる構成であれば、他の構成であってもよい。
【００３４】
発電手段１１１は、例えば、太陽光発電、風力発電又はその他の再生可能エネルギー発電であることが好ましいが、蓄電池や原動機であってもよい。特に、発電手段１１１として、再生可能エネルギー発電を利用した場合には、電力のインフラ設備が整っていない場所や燃料の供給が困難な場所であっても、恒常的に放射性物質抽出システム１に電力を供給することができる。かかる発電手段１１１により供給される電力は、陽極３及び陰極４への供給に限定されるものではなく、吸引ポンプ９、開閉弁８３、逆止弁８４、ドレン弁８５等の電力を必要とする全ての機器に供給することができる。
【００３５】
ＡＣ／ＤＣ変換器１１２及び直流電源装置１１３の電気容量（電流、電圧）は、陽極３及び陰極４の本数や長さに応じて調節され、陽極３及び陰極４に適切な大きさの電圧を印加することができるように構成されている。また、マイナス端子箱１１４内のマイナス端子は、マイナス電線１１４ａ、マイナス電源線１１４ｂ及び陰極電線１１４ｃを介して陰極４に接続される。また、プラス端子箱１１５内のプラス端子は、プラス電線１１５ａ、プラス電源線１１５ｂ及び陽極電線１１５ｃを介して陽極３に接続される。
【００３６】
また、電力供給手段１１は、上述したＡＣ／ＤＣ変換器１１２及び直流電源装置１１３によって直流を発生させる機能に加え、半波整流波形、全波整流波形、パルス波形又は交流波形の何れか一つ以上の波形の電流を発生させる機能を有していてもよい。これらの交番電圧を陽極３と陰極４とに印加することで、陽極３と陰極４との間の土壌２に脈動又は衝動を与えることができ、土壌２の汚染水を集水しやすくすることができる。
【００３７】
上述した本実施形態に係る放射性物質抽出システム１を用いて土壌２から放射性物質を汚染水として抽出する場合、図３に示した陽極３及び図４に示した陰極４を予め準備しておき、陽極３及び陰極４を所定の配置となるように土壌２に差し込み、配線工事及び配管工事を行うことによって、図１に示したシステムを敷設する。なお、陰極４は、鞘管５と吸込管６とに分離して運搬し、現場で組み立てるようにしてもよい。
【００３８】
放射性物質抽出システム１の設置が完了した後、電力供給手段１１により、陽極３と陰極４との間に所定の電圧を印加する。土壌２に差し込まれた一対の陽極３及び陰極４は一つの電気回路の電極として荷電され、陽極３と陰極４との間の土壌２において、イオン化して水分に溶け込んだ放射性物質が汚染水として陰極４に集水される。なお、陽極３と陰極４との間の電位傾度は、例えば０．１Ｖ／ｃｍ以上の適切な値となるように調節される。電気浸透現象によって陰極４の近傍に移動した汚染水は、鞘管５の内部に取り込まれ、吸引ポンプ９の吸引力によって吸込管６及び排水管８を通して汚染水槽１０に回収される。
【００３９】
上述した放射性物質抽出装置及び放射性物質抽出システム１によれば、陰極４を構成する鞘管５と集水した汚染水を外部に排出する吸込管６とを別部品として構成したことにより、鞘管５内に負圧室５５を形成することができ、吸込管６に接続された吸引ポンプ９の負圧を負圧室５５に集中して作用させることができ、鞘管５の内部に取り込まれた汚染水を効率良く吸い上げることができ、放射性物質によって汚染された土壌２から放射性物質を含む汚染水を集水し、効率よく汚染水を回収することができる。
【００４０】
ここで、図７（ａ）〜（ｄ）は、陽極３及び陰極４の配置例を示している。図中の破線矢印は、電気浸透現象によって移動する汚染水の流れを示している。図７（ａ）に示した第一配置例は、陽極３と陰極４とを列状に交互に配置したものである。図７（ｂ）に示した第二配置例は、陽極３と陰極４とを交互に格子状に配置したものである。かかる第二配置例によれば、第一配置例と比較して隣接する行間においても電気浸透現象を作用させることができ、汚染水を効率よく均一に集水することができる。
【００４１】
図７（ｃ）に示した第三配置例は、陰極４を中心として同一半径上に陽極３を複数配置したものである。かかる第三配置例によれば、一箇所に汚染水を集水することができ、配管工事や排水処理の負担軽減を図ることができる。図７（ｄ）に示した第四配置例は、陽極３を中心として同一半径上に陰極４を複数配置したものである。かかる第四配置例によれば、汚染水の量が多い場合であっても効率よく集水することができる。
【００４２】
各配置例において、陽極３と陰極４との間隔は、例えば、２〜１０ｍ程度に設定される。なお、各図において、陽極３及び陰極４の合計本数が９本の場合を図示しているが、これに限定されるものではない。陽極３及び陰極４の本数、間隔、差し込み深さ、配置、印加電圧等の条件は、設置場所の地形、土壌２の性質、汚染状況等によって、適宜変更される。
【００４３】
以上、添付図面を参照しつつ本発明の好適な実施形態について説明したが、本発明は上述した各実施形態に限定されないことは勿論であり、特許請求の範囲に記載された範疇における各種の変更例または修正例についても、本発明の技術的範囲に属することは言うまでもない。
【符号の説明】
【００４４】
１  放射性物質抽出システム
２  土壌
３  陽極
４  陰極
５  鞘管
６  吸込管
７  ガイド部材
８  排水管
９  吸引ポンプ
１０  汚染水槽
１１  電力供給手段
１２  砂利
３１  端子
５１  取込孔
５２  端子
５３  カバー
５４  支持フランジ
５５  負圧室
６１  継手
６２  吸込口
６３  キャップ
６４  支持フランジ
６５  パッキン
６６  絶縁ボルト
７１  フランジ部
７２  絶縁材
８１  管ヘッダ
８１ａ  脚部
８１ｂ  腕部
８１ｃ  管継手
８２  ヘッダ母管
８３  開閉弁
８４  逆止弁
８５  ドレン弁
１１１  発電手段
１１２  変換器
１１３  直流電源装置
１１４  マイナス端子箱
１１４ａ  マイナス電線
１１４ｂ  マイナス電源線
１１４ｃ  陰極電線
１１５  プラス端子箱
１１５ａ  プラス電線
１１５ｂ  プラス電源線
１１５ｃ  陽極電線
【図１】
2015001491.tif 000003
【図２】
2015001491.tif 000004
【図３】
2015001491.tif 000005
【図４】
2015001491.tif 000006
【図５】
2015001491.tif 000007
【図６】
2015001491.tif 000008
【図７】
2015001491.tif 000009